(57)【要約】  （ａ）２５〜１００質量％の連続気泡メラミン／ホルムアルデヒドフォームと、  （ｂ）０〜７５質量％の他の合成植物支持体及び／又は鉱質土壌と、  （ｃ）０〜２５質量％の、有効物質放出用の１種以上の組成物及び／又は他の添加剤と、からなる植物支持体を、水の不在下で貯蔵及び輸送することが可能であり、かかる支持体により、土壌に対する良好な通気が可能となる。【選択図】図１
2010511396.tif 000002
【特許請求の範囲】
【請求項１】
（ａ）２５〜１００質量％の連続気泡メラミン／ホルムアルデヒドフォームと、
（ｂ）０〜７５質量％の他の合成植物支持体及び／又は鉱質土壌と、
（ｃ）０〜２５質量％の、有効物質放出用の１種以上の組成物及び／又は他の添加剤と、
からなる植物支持体。
【請求項２】
連続気泡メラミン／ホルムアルデヒドフォームが羊毛状物質の形である請求項１に記載の植物支持体。
【請求項３】
連続気泡メラミン／ホルムアルデヒドフォームがブロックの形である請求項１に記載の植物支持体。
【請求項４】
メラミン／ホルムアルデヒドフォームが廃棄物又は再利用材料である請求項１〜３のいずれか１項に記載の植物支持体。
【請求項５】
メラミン／ホルムアルデヒドフォームの正味の比重が４〜１００ｇ／Ｌである請求項１〜４のいずれか１項に記載の植物支持体。
【請求項６】
０．１〜４０質量％の成分（ｂ）を含む請求項１〜５のいずれか１項に記載の植物支持体。
【請求項７】
単肥又は複合肥料を含む請求項１〜６のいずれか１項に記載の植物支持体。
【請求項８】
殺虫剤、殺菌剤及び複成長調整剤からなる群から選択される植物保護剤を含む請求項１〜７のいずれか１項に記載の植物支持体。
【請求項９】
請求項１〜８のいずれか１項に記載の植物支持体を植物の栽培に使用する方法。
【請求項１０】
請求項１〜８のいずれか１項に記載の植物支持体において植物を成長させる植物の栽培方法。
【発明の詳細な説明】
【技術分野】
【０００１】
本発明は、合成植物支持体及びその、植物の成長に使用する方法に関する。
【背景技術】
【０００２】
ドイツ国実用新案Ｇ９４０２１５９．７Ｕ１は、ピート及び柔毛性の連続気泡メラミン／ホルムアルデヒドフォームを含む土壌調整剤を開示し、且つ栽培用堆肥、挿し木用堆肥又は墓用表土を加えることも可能である。土壌調整剤は流動性であり、そしてこれを土壌に導入する。
【０００３】
植木鉢又は植物容器における植物は、鉢における土壌の量を制限するため、土壌（例えば、花壇）において直接的に成長させる植物と比較して、更に灌漑される必要がある。芝植物及び所定の他の園芸植物についても同様に、日照りに対して敏感であり、しばしば、灌漑される必要がある。上述した土壌調整剤の水保持能力は、かかる用途において必ずしも満足できるものではない。
【０００４】
従って、ドイツ国実用新案ＤＥ２０２００５０１８０４１Ｕ１では、栽培用堆肥又は土壌と接触させる、連続気泡メラミン／ホルムアルデヒドフォームから作製される水貯蔵性ウェブを提案している。
【０００５】
しかしながら、この発明に関してでも、特に、植物の根が成長する支持体それ自体に関して改良の余地が以前としてある。
【０００６】
理由としては、とりわけ、現代の植物生成物における支持体の要件が極めて高いことにある。
【０００７】
自然土壌又は天然の支持体、例えばピートと比較して、支持体は、一連の以下の利点を有する、例えば、
灌漑の簡素化、すなわち不規則な散水の場合に、植物に対する水の過剰な供給又はその不足を補償する高い水保持能力、
吸収される水の量が極めて高い場合であっても、支持体により、根の領域への酸素の浸透を可能にし、
水の取込又は放出が、支持体の体積に対して少ない変化だけを必要とし、
支持体により、移植されるべき容器へ導入すること、そして植え付けされるべき体積を最適に利用することが簡単となり、
支持体に植物を植え付け、そして支持体から植物を取り除くことが簡単であり、
植物の根が、支持体において十分に安定に保持され、
有効化合物を放出する組成物を、簡単な方法で導入し（例えば、肥料又は植物保護剤）、
支持体を滅菌し、そして再利用することが可能である。
【先行技術文献】
【特許文献】
【０００８】
【特許文献１】ドイツ国実用新案Ｇ９４０２１５９．７Ｕ１
【特許文献２】ドイツ国実用新案ＤＥ２０２００５０１８０４１Ｕ１
【発明の概要】
【０００９】
連続気泡メラミン／ホルムアルデヒドフォームを基礎とする支持体が上述した要件を殆ど満たし、ピートの追加を不要にすることが見出された。
【００１０】
従って、本発明は、
（ａ）２５〜１００質量％の連続気泡メラミン／ホルムアルデヒドフォームと、
（ｂ）０〜７５質量％の他の合成植物支持体及び／又は鉱質土壌と、
（ｃ）０〜２５質量％の、有効物質放出用の１種以上の組成物及び／又は他の添加剤と、
からなる植物支持体（plant substrate）に関する。
【００１１】
本発明の支持体は、例えばピートを基礎とする支持体の場合のように疎水性を発揮させることなく、水の不在下で貯蔵し、そして輸送され得る。本発明の使用法により、顕著な通気をもたらし、そして灌漑を大幅に簡単にする。
【００１２】
更に本発明は、
（ａ）２５〜１００質量％の連続気泡メラミン／ホルムアルデヒドフォームと、
（ｂ）０〜７５質量％の他の合成植物支持体及び／又は鉱質土壌と、
（ｃ）０〜２５質量％の、有効物質放出用の１種以上の組成物及び／又は他の添加剤と、
からなる混合物を植物栽培用の支持体として使用する方法に関する。
【００１３】
また、本発明は、植物の栽培方法であって、植物を、
（ａ）２５〜１００質量％の連続気泡メラミン／ホルムアルデヒドフォームと、
（ｂ）０〜７５質量％の他の合成植物支持体及び／又は鉱質土壌と、
（ｃ）０〜２５質量％の、有効物質放出用の１種以上の組成物及び／又は他の添加剤と、
からなる支持体において成長させる栽培方法に関する。
【００１４】
全ての割合は、常に、本発明の植物支持体における合計質量に関係する。植物支持体は、本質的にピート非含有であるのが好ましい。
【００１５】
好適なフォームは、メラミン／ホルムアルデヒド縮合樹脂から作製される全ての連続気泡フォームである。ＥＰ００１７６７２Ａ１に記載されるように、メラミン樹脂を基礎とする弾性フォームが特に好ましい。かかる文献が、明示的に参照される。かかるフォームは、例えばＢＡＳＦ社からBasotect（登録商標）という名称で入手可能である。
【００１６】
本発明の場合、連続気泡フォームは、ポリマーが、離れたリブによって形成される分岐構造を形成し、発泡処理の結果である個々のバブルが相互に接続されたフォームを意味すると理解される。対照的に、独立気泡フォームは、個々のバブルがポリマー材料によって完全に囲まれ、そして個々のフォームバブルが、最終のフォーム処理され且つ硬化されたポリマーにおいてでさえポリマー膜によって相互に分離されるフォームである。
【００１７】
本発明の方法によるフォーム粒子から作製されるブロック又はウェブの製造に好適な連続気泡フォームは、少なくとも０．９５ｍ3／ｍ3の細孔容積を有し、好ましくは少なくとも０．９８ｍ3／ｍ3であり、特に少なくとも０．９８５ｍ3／ｍ3である。細孔容積なる用語は、フォームの体積に対する細孔の容積の割合を意味すると理解される。連続気泡フォームにおけるリブの長さは、細孔容積の値の増大と共に増大する。同時に、リブの直径は減少する。
【００１８】
かかるフォームの正味の比重は、例えば、ドイツ工業規格５３４２０に規定されるように、４〜１００ｇ／Ｌであり、６〜６０ｇ／Ｌであるのが好ましく、特に８〜４０ｇ／Ｌであり、８〜２０ｇ／Ｌであるのが特に好ましい。
【００１９】
かかるフォームを製造するために、メラミン／ホルムアルデヒド予備縮合物の、高度に濃縮された、推薬含有溶液又は分散液を、ＥＰ−Ａ０７１６７２又はＥＰ−Ａ０３７４７０に記載されるように、温風、水蒸気又はマイクロ波の作用を用いて発泡させ、その後に硬化することが可能である。
【００２０】
メラミン／ホルムアルデヒドのモル比は、１：１〜１：５の範囲であるのが一般的である。ホルムアルデヒドに関して特に低いフォームを製造するために、モル比は、１：１．３〜１：１．８の範囲に選択され、そしてスルフィット非含有予備縮合物を、例えばＷＯ０１／９４４３６に記載のように用いる。
【００２１】
メラミン／ホルムアルデヒド縮合物を基礎とし、ポリマーに少なくとも５０質量％、好ましくは少なくとも８０質量％のメラミン及びホルムアルデヒド単位が取り込まれる弾性フォームが極めて好ましいが、これは、一方で、ポリマーに５０質量％以下、好ましくは２０質量％以下の他のアミノ−、アミド−、ヒドロキシル−又はカルボキシル−含有熱硬化性粒子が組み込まれ、他方でアルデヒドが組み込まれていても良く、そして以下の特性によって特徴付けられる：すなわち、
ａ）ドイツ工業規格５３４２０に規定されるような正味の比重が、４〜８０ｇ／Ｌの範囲、好ましくは６〜６０ｇ／Ｌの範囲、特に８〜４０ｇ／Ｌの範囲であり、
ｂ）ドイツ工業規格５２６１２に規定されるような熱伝導率が、０．０６Ｗ・ｍ-1・0Ｋ-1未満、好ましくは０．０５Ｗ・ｍ-1・0Ｋ-1未満、特に０．０４Ｗ・ｍ-1・0Ｋ-1未満であり、
ｃ）ドイツ工業規格５３５７７に規定されるような、６０％の偏差の条件下で、正味の比重によって割られる圧縮強さの値が０．３Ｎ・ｃｍ-2／ｇ・Ｌ-1未満、好ましくは０．２Ｎ・ｃｍ-2／ｇ・Ｌ-1未満であり、且つ６０％の偏差での圧縮強さの値が測定される場合、フォームの当初の寸法の少なくとも７０％、好ましくは少なくとも８０％、特に少なくとも９０％までフォームを回復させる必要があり、
ｄ）ドイツ工業規格５０４２３に類似する方法によって測定され、正味の比重によって割られる弾性率が、０．２５Ｎ・ｍｍ-2／ｇ・Ｌ-1未満、好ましくは０．２Ｎ・ｍｍ-2／ｇ・Ｌ-1未満、特に０．１５Ｎ・ｍｍ-2／ｇ・Ｌ-1未満であり、
ｅ）ドイツ工業規格５３４２３に規定されるような破断点伸びが、６ｍｍを超え、好ましくは９ｍｍを超え、特に１２ｍｍを超え、
ｆ）ドイツ工業規格４１０２に規定されるような点火性が、少なくとも通常であり、好ましくは困難であり、
ｇ）ドイツ工業規格５３５７１に規定されるような引張強さが、少なくとも０．０７Ｎ・ｍｍ-2であるのが好ましく、特に少なくとも０．１Ｎ・ｍｍ-2である。
【００２２】
好ましい実施形態において、本発明の植物支持体は、合成植物支持体のみを含む。
【００２３】
他の好ましい実施形態において、本発明の植物支持体は、鉱質土壌を含む。
【００２４】
他の好ましい実施形態において、本発明の植物支持体は、他の合成植物支持体又は鉱質土壌を含まない。
【００２５】
他の好ましい実施形態において、フォームは、粉砕された形、例えば羊毛状物質に固められた形（flocculated form）で用いられる。かかる羊毛状物質は、１．５〜７５ｍｍ、特に４〜４０ｍｍの平均直径を有するのが好ましい。
【００２６】
他の好ましい実施形態において、フォームは、ブロックの形で用いられる。
【００２７】
好ましい実施形態において、本発明により用いられるフォームは、廃棄物又は再利用材料である。
【００２８】
本発明の支持体を粉砕された形で用いる場合、例えば、付形品を切断する場合又はフォームブロック又はフォームウェブを製造する場合に残片として生成されるフォーム片を粉砕して、羊毛状物質を形成することが可能である。
【００２９】
フォーム片を羊毛状物質に粉砕するのは、例えば、フォーム片を引き裂くか、切断するか、又は穴あけすることによって行われ得る。フォーム片を引き裂くことによって羊毛状物質を生成するのが好ましい。なぜなら、これにより、大きな不規則面を生じさせるからである。
【００３０】
好ましい変体において、連続気泡フォームに、液体、例えばアルコール、ケトン、液体炭化水素又は水を飽和させた後に、これを切断又は分割する。水を使用するのが好ましい。
【００３１】
分割は、回転ブレード又はクラッシャーが具備された一般的な粉砕器を使用して行われ得る。好適な粉砕器は、例えば、ミル、例えばボールミル、又はUltraturax、押出器である。
【００３２】
粉砕器の特徴及びブレードの回転速度に応じて、微細に分割された粒子（粉末）又は綿羊毛様片（羊毛状物質）を得ることが可能である。この方法において、水−又はアルコール染み込みフォーム片を、特に簡単で且つダスト非含有の形態で加工処理して、アミノプラスチック粒子懸濁液を形成することが可能である。所望により、懸濁液を、その後に、ろ過又は遠心分離することが可能であり、次に、これにより得られる粉末を乾燥することが可能である。
【００３３】
また、生成物をブロックの形で使用する場合、廃棄物又は再利用材料を使用することも可能である。
【００３４】
例えば、ＥＰ−Ｂ０６４６４５２は、５〜１００ｇ／Ｌの比重を有する連続気泡メラミン樹脂フォームの残片を粉砕して、羊毛状物質を形成する付形フォーム片の製造方法を開示している。かかる羊毛状物質を、バインダー、硬化剤及び水と一緒に使用して、流動性の組成物を製造する。流動性の組成物を、密閉金型に導入し、そして金型において、１５〜１２０ｇ／Ｌの比重まで圧縮する。バインダーの硬化により、成形材料を成形品とする。
【００３５】
少なくとも１種の連続気泡フォームによるフォーム片からなるブロックを製造する方法が好ましく、かかる方法は、以下の工程：
（ａ）フォーム片を粉砕して、羊毛状物質を形成する工程と、
（ｂ）羊毛状物質を圧縮して、複合材料を形成する工程と、
（ｃ）縫い取りによって羊毛状物質を機械的に結合させる工程と、
を含む。
【００３６】
縫い取りによるフォーム羊毛状物質の結合により、他の物質をフォームに導入するのを回避し、これは、きっと必要であろう。
【００３７】
かかる方法は、ＥＰ−Ａ１７６４２０４に記載されている。
【００３８】
付形品を切断する場合又はフォームブロック製造する場合に残片として得られる個々のフォーム片を処分することを回避するために、これらのフォーム片を本発明の方法により粉砕して、羊毛状物質を形成する。
【００３９】
フォーム片を羊毛状物質に粉砕するのは、例えば、フォーム片を引き裂くか、切断するか、又は穴あけすることによって行われ得る。フォーム片を引き裂くことによって羊毛状物質を生成するのが好ましい。なぜなら、これにより、大きな不規則面を生じさせ、縫い取り処理中に個々の羊毛状物質を良好に結合させるからである。
【００４０】
縫い取りによって個々の羊毛状物質を結合させて、ブロックを形成することが可能となるために、羊毛状物質は、全て三次元において、３〜２５０ｍｍの範囲、好ましくは５〜１００の範囲、特に１０〜５０ｍｍの範囲の寸法を有するのが好ましい。
【００４１】
縫い取りによって機械的に羊毛状物質を結合させるのは、繊維を縫い取りして、不織布を形成するのと同じ方法で行われるのが好ましい。縫い取りによる不織布の製造方法は、例えばＤＥ−Ａ１９８１９７３３により公知である。この場合、針から不織布を取り除くのは、不織布から外方を見てストリッパー側に加圧チャンバーを配置し、これによりチャンバーの圧搾空気が、ストリッパーの条溝に沿って不織布に向かって流れて、ストリッパーから縫い取り支持体に向かって不織布を押圧するということによって支持される。しかしながら、ストリッパーを用いるものの、圧搾空気によって支持されることなく針から不織布を取り除くことも可能である。
【００４２】
他の好適な人工支持体は、例えば、尿素を基礎とする有機合成フォーム樹脂（例えば、Hygromull（登録商標））、独立気泡のスチロムル（styromull）又はその混合物（例えば、Hygropor（登録商標）73）、超吸収体（架橋ポリアクリレート又は架橋ポリアクリルアミド（例えば、Luquasorb（登録商標）））、無水無機化合物、例えば砂、砂利、膨張クレー及びクレー顆粒（例えば、Seramis（登録商標））である。かかる他の人工支持体は、０〜７５質量％、好ましくは０〜４０質量％、特に０〜２０質量％の量で存在する。
【００４３】
本発明の場合、鉱質土壌は、≦３０質量％の有機物質を含む土壌、すなわち腐植土及び／又はバイオマスを意味すると理解される。≦２０質量％、特に≦１５質量％の含有量が望ましい。鉱質土壌の含有量は、０〜７５質量％であり、好ましくは０〜４０質量％であり、特に０〜２０質量％である。
【００４４】
本発明の支持体は、肥料及び／又は植物保護剤を含む放出組成物（release system）を含むのが好ましい。
【００４５】
本発明の方法で用いられる肥料は、単肥又は複合肥料の形であっても良い。これらの肥料において可能性のある成分は、全ての一般的な肥料成分、使用され得る窒素供給源、例えば硫酸アンモニウム、硝酸アンモニウム、塩化アンモニウム、アンモニアサルファ−ニトレート、尿素、シアンアミド、ジシアノジアミド、硝酸ナトリウム、ソーダ硝石又は硝酸カルシウム、そして更にはスローリリース肥料、例えばオキサミド、尿素／ホルムアルデヒド縮合物、尿素／アセトアルデヒド縮合物又は尿素／グリオキサル縮合物、例えば尿素ホルム（ureaform）、アセチレン二尿素、イソブチリデン二尿素又はクロトニリデン二尿素である。また、１種以上の以下の植物栄養分：すなわち、リン、カリウム、マグネシウム、カルシウム又は硫黄を含む化合物、そして微量元素のホウ素、鉄、銅、亜鉛、マンガン又はモリブデンを含む化合物が存在することも可能である。かかる化合物の例示は、リン酸モノアンモニウム、リン酸ジアンモニウム、過リン酸塩、トーマスリン酸塩、三重過リン酸塩、リン酸二カルシウム、リン酸カリウム、部分的に又は完全に消化された粗なホスフェート、硝酸カリウム、塩化カリウム、硫酸カリウム、リン酸二カリウム、硫酸マグネシウム、塩化マグネシウム、キーゼル石、ドロマイト、石灰、灰硼鉱、ホウ酸、ホウ砂、硫酸鉄、硫酸銅、硫酸亜鉛、硫酸マンガン、モリブデン酸アンモニウム又は同様の物質である。更に、肥料は、１種以上の有効物質、例えば硝化抑制剤、ウレアーゼ抑制剤、除草剤、殺菌剤、殺虫剤、複成長調整剤、ホルモン、フェロモン又は他の植物保護剤又は土壌アジュバントを、肥料に対して、０．０１〜２０質量％の量で含んでいても良い。また、錯化剤、例えばＥＤＴＡ又はＥＤＤＨＡが存在していても良い。
【００４６】
複合肥料、特にスローリリース複合肥料を使用するのが好ましく、かかる肥料は、例えば、窒素供給源としての化合物、例えば尿素ホルム、アセチレン二尿素、イソブチリデン二尿素又はクロトニリデン二尿素を含む。更に、被覆肥料を使用するのが好ましく、且つ肥料の顆粒は、薄いポリマー膜で被覆される。被覆肥料は、栄養素の遅延放出という点において顕著であり、それ自体、当業者に知られている。
【００４７】
植物保護剤の適例は、殺虫剤、殺菌剤、複成長調整剤及び除草剤であり、適宜、適当な緩和剤と共に使用される。根を介して植物から吸収される浸透有効物質が望ましい。
【００４８】
放出組成物により、有効物質の遅延放出をもたらすので、植物に栄養分及び／又は植物保護剤を成長期間全体、好ましくは少なくとも１年、特に２年間に亘って供給することが可能である。
【００４９】
遅延放出の有効物質を有するマイクロカプセル化で且つ他の組成物（スローリリース調剤）が、例えば、H. Mollet, A. Grubenmann, Formulation Technology, Wiley-VCH, Weinheim 2001, Controlled Release Pesticides, ACS Symp. Series, No. 53, Am. Chem. Soc., Washington D.C. 1977、ＷＯ９７／１４３０８及びH. B. Scher, Controlled-release delivery systems for pesticides, Macel Dekker, Inc., New York 1999に記載されている。
【００５０】
有効成分の放出組成物が存在する場合、かかる組成物の量は、０．０１〜２０質量％であるのが一般的であり、好ましくは０．０５〜１０質量％である。
【００５１】
かかる組成物の例示は、コンテナ作物（container crops）又は植木箱である。
【００５２】
植物は、種、挿苗又はその他に予備栽培の形で使用され得る。
【００５３】
更に、植物支持体は、全ての観賞用及びコンテナ植物（木材類、多年生植物）並びに種々の果実及び野菜に特に好適である。
【００５４】
更に、植物支持体は、温室、野外容器、植木箱、植物容器、中庭用の鉢、栽培又は播種に用いられるグローバッグにおける使用、そして種苗の成長に用いられる根形成培地（rooting medium）としての使用に特に好適である。
【００５５】
また、本発明の植物支持体は、土壌調整剤として、すなわち、土壌及び他の支持体への添加剤として使用されても良い。
【図面の簡単な説明】
【００５６】
【図１】図１は、実施例２（ｂ）及び４（ｄ）並びに比較実施例１（ａ）及び２（ｃ）に従って栽培された植物を示している。
【００５７】
本発明を、実施例によって更に詳細に説明する。
【実施例】
【００５８】
プラスチック鉢の寸法１３に、実施例１〜４並びに比較実施例１及び２の支持体を充填し、そして各々の場合で、１本の白菜の種苗を移植した。植物を肥沃にし、そして水溶性の加工しない栄養肥料（nutirient-fertilizer）（０．５％濃度の、Ｍｇ及び微量の栄養分を有する“Hakaphos（登録商標）Spezial”溶液ＮＰＫ−肥料）で灌漑（養液培養）した。農業の慣習により、変体７が水を必要としたときに植物に水をかけた。対照的に、沈水生の変体４及び比較実施例２に、流入（flowthrough）が観察されるまで養液培養溶液と一緒に毎日水をかけて、水のやり過ぎに対する耐性に関して試験した。鉢を、約１８〜２３℃の温室に配置した。
【００５９】
以下の結果を得た：
【００６０】
【表１】
2010511396.tif 000003
【００６１】
ＭＦＦ＝メラミン／ホルムアルデヒドフォーム（Basotect（登録商標）、ＢＡＳＦ）
ＳＡＰ＝超吸収体
＋満足、＋＋良好、＋＋＋極めて良好
良好な植物の成長を実施例１、２、３及び従来の培養土（比較実施例１）において観察した。
【００６２】
実施例４及び比較実施例２でのように、１００ｍＬの肥料溶液を毎日供給して毎日水をやり過ぎる条件下（沈水生の条件下）、ＭＦＦ羊毛状物質は、市販の培養土に対して優れた支持体であることを示していた。市販のピートベース支持体における湿潤条件の結果、白菜植物の成長を大幅に妨げ、そしてかかる植物は、約２０ｍｍの平均直径を有するＭＦＦ羊毛状物質（実施例４）において栽培されたこれらの植物の根における生体重に対して三分の一だけ達成した。
【図１】
2010511396.tif 000004
【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
（ａ）７５〜１００質量％の連続気泡メラミン／ホルムアルデヒドフォームと、
（ｃ）０〜２５質量％の、有効物質放出用の１種以上の組成物及び／又は他の添加剤と、
からなり、且つ連続気泡メラミン／ホルムアルデヒドフォームがブロックの形である植物支持体。
【請求項２】
メラミン／ホルムアルデヒドフォームが廃棄物又は再利用材料である請求項１に記載の植物支持体。
【請求項３】
メラミン／ホルムアルデヒドフォームの正味の比重が４〜１００ｇ／Ｌである請求項１又は２に記載の植物支持体。
【請求項４】
単肥又は複合肥料を含む請求項１〜３のいずれか１項に記載の植物支持体。
【請求項５】
殺虫剤、殺菌剤及び成長調整剤からなる群から選択される植物保護剤を含む請求項１〜４のいずれか１項に記載の植物支持体。
【請求項６】
請求項１〜５のいずれか１項に記載の植物支持体を植物の栽培に使用する方法。
【請求項７】
請求項１〜５のいずれか１項に記載の植物支持体において植物を成長させる植物の栽培方法。
【国際調査報告】
2010511396.tif 000005
2010511396.tif 000006
2010511396.tif 000007
2010511396.tif 000008
2010511396.tif 000009
2010511396.tif 000010